(57)【要約】【課題】  車両の製造コストの低減を図るとともに、通常モードとデリバリモードの切り替えを簡単且つ的確に行う。【解決手段】  車両がデリバリ状態であるか否かを判別するデリバリ判別手段と、このデリバリ判別手段により車両がデリバリ状態であると判別されると予め選択された選択車載機器の制御内容を通常モードからデリバリモードに変更する制御変更手段と、を備え、デリバリ判別手段は時計装置３０におけるバックアップ用電源４０の印加の有無に基づいてデリバリ状態であるか否かを判別するようにした。【選択図】  図１
2006096095.tif 000002
【特許請求の範囲】
【請求項１】
車両がデリバリ状態であるか否かを判別するデリバリ判別手段と、
前記デリバリ判別手段により前記車両がデリバリ状態であると判別されると、予め選択された選択車載機器の制御内容を通常モードからデリバリモードに変更する制御変更手段と、を備えた車載機器制御装置において、
前記デリバリ判別手段は、所定の車載用電子機器におけるバックアップ用電源の印加の有無に基づいてデリバリ状態であるか否かを判別することを特徴とする車載機器制御装置。
【請求項２】
車両がデリバリ状態であるか否かを判別するデリバリ判別手段と、
前記デリバリ判別手段により前記車両がデリバリ状態であると判別されると、予め選択された選択車載機器の制御内容を通常モードからデリバリモードに変更する制御変更手段と、を備え、バックアップ用電源から電力が供給される車載機器制御装置において、
前記デリバリ判別手段は、前記バックアップ用電源の印加の有無に基づいてデリバリ状態であるか否かを判別することを特徴とする車載機器制御装置。
【請求項３】
前記所定の車載用電子機器は、車両の走行機能と独立した機能に関することを特徴とする請求項１または２に記載の車載機器制御装置。
【請求項４】
前記デリバリ判別手段は、前記バックアップ用電源の印加の有無を、該バックアップ用電源の回路に配されたヒューズの挿脱状態により判断することを特徴とする請求項１から３のいずれか一項に記載の車載機器制御装置。
【請求項５】
前記バックアップ用電源の回路から抜脱された前記ヒューズを受容する保管用回路を設け、
前記デリバリ判別手段は、前記保管用回路にて前記ヒューズを検出することで前記バックアップ用電源の回路における前記ヒューズの挿脱状態を判断することを特徴とする請求項４に記載の車載機器制御装置。
【請求項６】
外部から前記所定の車載用電子機器の制御に関する指令信号を受信する通信手段を備え、
前記制御変更手段は、前記通信手段により受信した指令信号に基づいて、前記選択車載機器の制御内容を変更することを特徴とする請求項１から５のいずれか一項に記載の車載機器制御装置。
【請求項７】
前記制御変更手段は、前記通信手段により指令信号を受信し、且つ、前記デリバリ判別手段によりデリバリ状態であると判別されると、前記選択車載機器の制御内容を前記デリバリモードに変更することを特徴とする請求項６に記載の車載機器制御装置。
【請求項８】
前記制御変更手段は、前記通信手段により指令信号を受信し、且つ、前記デリバリ判別手段によりデリバリ状態でないと判別されると、前記選択車載機器の制御内容を点検モードに変更することを特徴とする請求項６または７に記載の車載機器制御装置。
【請求項９】
前記制御変更手段は、前記通信手段により指令信号を受信し、且つ、前記デリバリ判別手段により前記車両がデリバリ状態であると判別された際のデリバリモードの制御内容と、前記通信手段にて指令信号が受信されず、且つ、前記デリバリ判別手段により前記車両がデリバリ状態であると判別された際のデリバリモードの制御内容と、が異なるよう構成されることを特徴とする請求項６から８のいずれか一項に記載の車載機器制御装置。
【発明の詳細な説明】
【技術分野】
【０００１】
本発明は、車両がデリバリ状態となると、予め選択された車載用電子機器の制御内容を通常モードからデリバリモードに変更する車載機器制御装置に関する。
【背景技術】
【０００２】
自動車車両においては、工場内での組立時の検査工程や、組立終了後の工場から販売店への輸送における自走時に、エンジン等の始動、停止が行われる。このとき、エンジンに関しては、始動から停止までの時間が通常の使用時よりも極端に短いために、点火プラグの温度が自己清浄温度に到達する前にエンジンが停止するという問題がある。また、通常通り制御されると、空燃比が比較的リッチな暖気運転中に停止することとなり、点火プラグがくすぶりやすいという問題点がある。さらには、工場内で充填される燃料が仕向地先の燃料と異なる場合は、エンジン制御は仕向地先に対応しているため、ノッキング等が生じる場合がある。
【０００３】
これらの問題点を解決すべく、検査工程や工場出荷輸送における自走時には、エンジンの制御内容を、通常モードと異なるデリバリモードとするものが知られている。すなわち、エンジンの制御を、空燃比を通常に比してリーンな状態としたり、点火のタイミングを遅らせたりすることにより上記問題点が解決される。このように、エンジン等の車載機器は、ＥＣＵ等の車載機器制御装置により通常モードと輸送等に適したデリバリモードに切り替えられるようになっている。
【０００４】
エンジン制御に関するＥＣＵ（Electrical Control Unit）の通常モードとデリバリモードの切り替えは、専用のコネクタの着脱により行われるものが公知である（例えば、特許文献１参照。）。これによれば、専用のコネクタ及びハーネスを設け、コネクタ接続時にデリバリ状態であると判別し、コネクタが非接続状態のときはデリバリ状態でないと判別される。
【特許文献１】特開平１１−３７０２５号公報
【発明の開示】
【発明が解決しようとする課題】
【０００５】
しかしながら、前記車載機器制御装置では、デリバリ状態を判別するためにコネクタ及びハーネスを設けていることから、部品点数が増大して車両の製造コストが嵩むという問題点がある。また、販売店等でコネクタの接続を解除する作業が生じるので面倒である。さらに、販売店でコネクタの接続解除を忘れたり、ユーザが間違ってコネクタを接続してしまうと、ユーザはデリバリモードのまま車両を使用することとなってしまう。
【０００６】
本発明は、前記事情に鑑みてなされたものであり、その目的とするところは、車両の製造コストの低減を図るとともに、通常モードとデリバリモードの切り替えを簡単且つ的確に行うことのできる車載機器制御装置を提供することにある。
【課題を解決するための手段】
【０００７】
前記目的を達成するため、請求項１に記載の発明では、車両がデリバリ状態であるか否かを判別するデリバリ判別手段と、前記デリバリ判別手段により前記車両がデリバリ状態であると判別されると、予め選択された選択車載機器の制御内容を通常モードからデリバリモードに変更する制御変更手段と、を備えた車載機器制御装置において、前記デリバリ判別手段は、所定の車載用電子機器におけるバックアップ用電源の印加の有無に基づいてデリバリ状態であるか否かを判別することを特徴とする。
【０００８】
請求項１に記載の発明によれば、所定の車載用電子機器はバックアップ用電源に接続されて常時電力が供給される構成となっているところ、工場における組立時、組立後における工場から販売店までの輸送時等のように、長期間車両を使用しない場合にはバッテリ上がりを防止するために、例えばハーネスのコネクタを外すなどして、バックアップ用電源と車載用電子機器との電気的接続が解除される。
そして、この所定の車載用電子機器におけるバックアップ用電源の印加の有無に基づいてデリバリ状態か否かが判別されるようにしたので、長期間車両を使用しない状態を的確にデリバリ状態であると判別することができる。デリバリ判別手段によりデリバリ状態であると判別されると、制御変更手段により、選択車載機器の制御内容が車両の短期使用に適したデリバリモードへ変更される。
【０００９】
従って、従来のようにデリバリ状態か否かを判別するために別途コネクタやハーネスが必要となることはなく、部品点数を削減して車両の製造コストの低減を図ることができる。また、所定の車載用電子機器におけるバックアップ用電源の印加の有無に基づいてデリバリ状態か否かを判別するようにしたので、通常モードとデリバリモードの切り替えを簡単且つ的確に行うことができる。
【００１０】
請求項２に記載の発明では、車両がデリバリ状態であるか否かを判別するデリバリ判別手段と、前記デリバリ判別手段により前記車両がデリバリ状態であると判別されると、予め選択された選択車載機器の制御内容を通常モードからデリバリモードに変更する制御変更手段と、を備え、バックアップ用電源から電力が供給される車載機器制御装置において、前記デリバリ判別手段は、前記バックアップ用電源の印加の有無に基づいてデリバリ状態であるか否かを判別することを特徴とする。
【００１１】
請求項２に記載の発明によれば、装置はバックアップ用電源に接続されて常時電力が供給される構成となっているところ、工場における組立時、組立後における工場から販売店までの輸送時等のように、長期間車両を使用しない場合にはバッテリ上がりを防止するために、例えばハーネスのコネクタを外すなどして、バックアップ用電源と装置との電気的接続が解除される。
そして、このバックアップ用電源の印加の有無に基づいてデリバリ状態か否かが判別されるようにしたので、長期間車両を使用しない状態を的確にデリバリ状態であると判別することができる。デリバリ判別手段によりデリバリ状態であると判別されると、制御変更手段により、選択車載機器の制御内容が車両の短期使用に適したデリバリモードへ変更される。
また、装置は自己のバックアップ用電源の印加状態を直接検出するよう構成すればよいので、装置にバックアップ用電源に関する情報を外部から送信する必要はなく、装置に接続されるハーネス、コネクタ等を簡素化することができる。
【００１２】
請求項３に記載の発明では、請求項１または２に記載の車載機器制御装置において、前記所定の車載用電子機器は、車両の走行機能と独立した機能に関することを特徴とする。
【００１３】
請求項３に記載の発明によれば、請求項１または２の作用に加え、デリバリ状態か否かの判別に用いられる所定の車載用電子機器は、車両の走行機能と独立していることから、デリバリモードにおいて、バックアップ用電源が供給されないために例えば原動機、変速機、各種ギヤ、懸架装置等の走行機能に関する動作に支障をきたすことはない。これにより、デリバリモードと判別された際に、工場内における動力系の検査、組立終了後の工場内での自走による車両移動、車両輸送時における自走による車両移動等を的確に行うことができる。
【００１４】
請求項４に記載の発明では、請求項１から３のいずれか一項に記載の車載機器制御装置において、前記デリバリ判別手段は、前記バックアップ用電源の印加の有無を、該バックアップ用電源の回路に配されたヒューズの挿脱状態により判断することを特徴とする。
【００１５】
請求項４に記載の発明によれば、請求項１から３のいずれか一項の作用に加え、ヒューズの挿脱によりバックアップ用電源と車載用電子機器とが電気的に接続又は切断されるので、バックアップ用電源の印加の有無を的確に判断することができる。これにより、コネクタ等を別途設けることなくバックアップ用電源の印加を把握することができ、さらなる製造コストの低減を図ることができる。また、車両に備え付けのヒューズボックスを用いてバックアップ用電源の回路を構成すれば、製造コストを効果的に低減することもできる。
【００１６】
請求項５に記載の発明では、請求項４に記載の車載機器制御装置において、前記バックアップ用電源の回路から抜脱された前記ヒューズを受容する保管用回路を設け、前記デリバリ判別手段は、前記保管用回路にて前記ヒューズを検出することで前記バックアップ用電源の回路における前記ヒューズの挿脱状態を判断することを特徴とする。
【００１７】
請求項５に記載の発明によれば、請求項４の作用に加え、保管用回路で保管時のヒューズを検出することにより、ヒューズがバックアップ用電源の回路から抜脱されたことを確実に判断することができる。また、単なるヒューズ切れの場合に、ヒューズが抜脱されたと誤認識してデリバリモードへ移行してしまうことを防止することができる。
【００１８】
請求項６に記載の発明では、請求項１から５のいずれか一項に記載の車載機器制御装置において、外部から前記所定の車載用電子機器の制御に関する指令信号を受信する通信手段を備え、前記制御変更手段は、前記通信手段により受信した指令信号に基づいて、前記選択車載機器の制御内容を変更することを特徴とする。
【００１９】
請求項６に記載の発明によれば、請求項１から５のいずれか一項の作用に加え、通信手段により受信した指令信号に基づいて制御内容が変更される。これにより、作業や目的に応じて選択車載機器の制御内容をきめ細やかに変更することができる。
【００２０】
請求項７に記載の発明では、請求項６に記載の車載機器制御装置において、前記制御変更手段は、前記通信手段により指令信号を受信し、且つ、前記デリバリ判別手段によりデリバリ状態であると判別されると、前記選択車載機器の制御内容を前記デリバリモードに変更することを特徴とする。
【００２１】
請求項７に記載の発明によれば、請求項６の作用に加え、デリバリ判別手段による判別に加え、通信手段による指令信号の受信を条件として、選択車載機器の制御内容がデリバリモードに変更される。すなわち、通信手段による指令信号の受信がない限り、制御内容がデリバリモードへ移行することはないので、車両の通常走行時における誤動作によるデリバリモードへの移行を確実に防止することができる。
【００２２】
請求項８に記載の発明では、請求項６または７に記載の車載機器制御装置において、前記制御変更手段は、前記通信手段により指令信号を受信し、且つ、前記デリバリ判別手段によりデリバリ状態でないと判別されると、前記選択車載機器の制御内容を点検モードに変更することを特徴とする。
【００２３】
請求項８に記載の発明によれば、請求項６または７の作用に加え、制御変更手段により、選択車載機器は、デリバリモード、点検モード、通常モードの少なくとも３つのモードに制御内容が変更される。ここで、点検モードに制御内容が変更される条件は、通信手段により指令信号を受信し、且つ、デリバリ判別手段によりデリバリ状態でないと判別された場合である。また、デリバリモードへ変更する条件は、デリバリ判別手段によりデリバリ状態であると判別された場合でり、通信手段により指令信号の受信があるかは問わない。そして、通常モードが保持される条件は、デリバリ判別手段によりデリバリ状態でないと判別され、且つ、通信手段による指令信号の受信がない場合である。
このように、選択車載機器を点検モードとすることができ、例えば、工場出荷後から販売店までの車両の長期輸送に際してはデリバリモードとし、販売店等における点検工程では点検モードとするなどして、車両の点検に際しての制御内容についてデリバリモードと差別化を図り、車両の点検の作業内容に応じた制御を行うことができる。
【００２４】
請求項９に記載の発明では、請求項６から８のいずれか一項に記載の車載機器制御装置において、前記制御変更手段は、前記通信手段により指令信号を受信し、且つ、前記デリバリ判別手段により前記車両がデリバリ状態であると判別された際のデリバリモードの制御内容と、前記通信手段にて指令信号が受信されず、且つ、前記デリバリ判別手段により前記車両がデリバリ状態であると判別された際のデリバリモードの制御内容と、が異なるよう構成されることを特徴とする。
【００２５】
請求項９に記載の発明によれば、請求項６から８のいずれか一項の作用に加え、通信手段により指令信号が受信されたか受信されていないかで、デリバリモードの制御内容が異なることとなる。このように、デリバリモードの制御内容に差異を設けることで、例えば、工場における出荷検査時の制御内容と、工場出荷後から販売店までの輸送に際しての制御内容を異なるものとし、車両の出荷検査時に際しての制御内容について輸送時のものと差別化を図り、車両の出荷検査の作業内容に応じた制御を行うことができる。
【発明の効果】
【００２６】
このように、本発明によれば、車両の製造コストの低減を図るとともに、通常モードとデリバリモードの切り替えを簡単且つ的確に行うことができる。
【発明を実施するための最良の形態】
【００２７】
図１は本発明の一実施形態を示す車載機器制御装置の概略構成ブロック図である。
【００２８】
図１に示すように、車載機器制御装置１０は、エンジンのイグナイタ２１、エンジンにおける過給器の圧力を調整する過給用アクチュエータ２２、エンジンの吸気量を調整するスロットルバルブ２３、燃料噴射量を調整するインジェクタ２４、燃料送出量を調整する燃料ポンプ２５、ラジエータに流通する風量を調整するラジエータファン２６、キャニスタにおける燃料のパージを調整するパージ用アクチュエータ２７等に接続される。この車載機器制御装置１０は、選択車載機器としてのエンジンの運転状態を制御し、一般的にはＥＣＵと呼ばれるものである。車載機器制御装置１０は、車両に搭載された時計装置３０のバックアップ用電源回路３１に接続されている。この時計装置３０は、純粋に時計の機能に関し、車両の走行機能と独立している。
【００２９】
このバックアップ用電源回路３１は、車両用電源に接続された計時機能を維持するためのものであり、車両用キーのキーシリンダにおける回動により各種機器に電力を供給するアクセサリ電源回路やイグニッション電源回路、ライティングスイッチの操作により各種表示部の照明用の電力を供給するライティング電源回路等とは異なるものである。バックアップ用電源回路３１は、バックアップ用電源４０と時計装置３０とを、着脱自在の一対の時計電源コネクタ３２を介して接続する。
【００３０】
このように、時計装置３０はバックアップ用電源４０に接続されて常時電力が供給される構成となっているところ、工場における組立時、組立後における工場から販売店までの輸送時等のように、長期間車両を使用しない場合にはバッテリ上がりを防止するために、時計電源コネクタ３２を外してバックアップ用電源４０との電気的接続を解除するようになっている。
【００３１】
ここで、車載機器制御装置１０は、ＣＰＵ１１、ＲＯＭ１２、ＲＡＭ１３、Ｉ／Ｏインターフェース１４が互いにバス１５に接続される構成となっている。Ｉ／Ｏインターフェース１４は、クランク角センサ５１、水温センサ５２、車速センサ５３、アクセルセンサ５４、スロットル開度センサ５５、Ｏ２センサ５６等に接続されるとともに、前述のイグナイタ２１、過給用アクチュエータ２２、スロットルバルブ２３、インジェクタ２４、燃料ポンプ２５、ラジエータファン２６、バックアップ用電源回路３１等と接続される。そして、ＲＯＭ１２にはエンジンを通常モードで制御するための通常エンジン制御プログラム６１が記憶されており、各センサ５１〜５６により検出された情報に基づいて、イグナイタ２１、過給用アクチュエータ２２、スロットルバルブ２３、インジェクタ２４、燃料ポンプ２５、ラジエータファン２６、パージ用アクチュエータ２７等が制御される。
【００３２】
また、ＲＯＭ１２には、エンジンをデリバリモードで制御するためのデリバリエンジン制御プログラム６２と、時計装置３０におけるバックアップ用電源４０の印加の有無に基づいてエンジン制御内容を通常モードからデリバリモードに変更する制御変更プログラム６３と、が記憶されている。本実施形態においては、制御変更プログラム６３が記憶されたＲＯＭ１２、ＣＰＵ１１等で、車両がデリバリ状態であるか否かを判別するデリバリ判別手段及びデリバリ状態であると判別されるとエンジンの制御内容を変更する制御変更手段をなしている。
【００３３】
デリバリエンジン制御プログラム６２は、空燃比を通常制御に比してリーンな状態とするリーン制御及び点火のタイミングを通常制御に比して遅らせるリタード制御を行う。リーン制御により点火プラグのくすぶりが防止されるとともに、リタード制御によりノッキングが防止されることとなる。具体的に、リーン制御は、クランク角センサ５１からの信号に基づき計算されるエンジン回転数と水温センセ５２にて検出される水温から燃料噴射量が一義的に定められるテーブルを通常制御と別個に設定しておき、デリバリモードに際してこのテーブルを使用することにより実現される。
さらに、本実施形態においては、デリバリエンジン制御プログラム６２は、エンジンの過給圧を通常制御に比して低い状態とする低圧制御を行う。すなわち、過給圧が高くなると排気温度の上昇を抑制するために空燃比をリッチにするよう制御するところ、過給圧が通常制御に比して低いために結果として空燃比がリッチとなることがなく、点火プラグのくすぶりが防止されることとなる。
また、デリバリエンジン制御プログラム６２は、エンジンの摺り合わせが十分でない新車の状態を想定して、燃料がカットされる回転リミッタの回転数を通常制御より低下させるリミッタ低下制御と、スロットル開度が所定開度より大きくならないよう通常制御とは異なる開度リミッタ制御を行う。
さらに、デリバリエンジン制御プログラム６２は、ラジエータファン２６を低温時でも作動させるファン運転制御を行う。これにより、通常制御ではエンジン冷却水の水温が所定温度を超えない限りラジエータファン２６が作動しないところ、水温によることなくラジエータファン２６が作動するので、ラジエータファン２６の動作確認を行うことができる。
【００３４】
また、制御変更プログラム６３は、バックアップ用電源回路３１からの入力に応じてエンジンの制御内容を切り替える。すなわち、各時計電源コネクタ３２が互いに接続されていて、時計装置３０のバックアップ用電源４０の印加がある場合は、エンジンの制御内容を通常モードのままとする。このデリバリ状態か否かの判定は、例えば１０ｍｓ毎に行うなど定常的に行われる。そして、各時計電源コネクタ３２が互いに外されていて、時計装置３０のバックアップ用電源４０の印加が確認できない場合は、エンジンの制御内容をデリバリモードに変更する。
【００３５】
以上のように構成され車載機器制御装置１０によれば、時計装置３０におけるバックアップ用電源４０の印加の有無に基づいてデリバリ状態か否かが判別されるようにしたので、長期間車両を使用しない状態を的確にデリバリ状態であると判別することができる。また、デリバリ状態であると判別されると、エンジンの制御内容が車両の短期使用に適したデリバリモードへ変更される。
【００３６】
従って、従来のようにデリバリ状態か否かを判別するために別途コネクタやハーネスが必要となることはなく、部品点数を削減して車両の製造コストの低減を図ることができる。また、時計装置３０におけるバックアップ用電源４０の印加の有無に基づいてデリバリ状態か否かを判別するようにしたので、通常モードとデリバリモードの切り替えを簡単且つ的確に行うことができる。
【００３７】
また、本実施形態の車載機器制御装置１０によれば、デリバリ状態か否かの判別に用いられる時計装置３０は、車両の走行機能と独立していることから、デリバリモードにおいて、バックアップ用電源４０から電力が供給されないために例えばエンジン、変速機、各種ギヤ、懸架装置等の走行機能に関する動作に支障をきたすことはない。これにより、デリバリモードと判別された際に、工場内における動力系の検査、組立終了後の工場内での自走による車両移動、車両輸送時における自走による車両移動等を的確に行うことができる。
【００３８】
尚、前記実施形態においては、時計装置３０におけるバックアップ用電源４０の印加の有無に基づいてデリバリ状態であるか否かを判別するようにしたものを示したが、図２に示すように、車載機器制御装置１０自体におけるバックアップ用電源４０の印加の有無に基づいてデリバリ状態であるか否かを判別するようにしてもよい。この場合は、車載機器制御装置１０に電力が供給されずとも、車両走行に支障をきたさないよう構成する必要がある。
【００３９】
図２に示す車載機器制御装置１０は、装置１０のバックアップ用電源回路１６に、着脱自在の一対の装置電源コネクタ１７が設けられている。ここで、前記実施形態では説明を省略したが、図２に示すように、車載機器制御装置１０は、車両のバックアップ用電源４０が１２Ｖであるため、ＣＰＵ１１の仕様に対応して５Ｖに変換する電圧変換回路１８を有する。そして、ＣＰＵ１１の判別ポート１１ａと、電圧変換回路１８及びバックアップ用電源回路１６の間とが、オペアンプを有する接続回路１９により装置１０の内部で接続される。この場合は、判定ポート１１ａにより検出される電圧が高レベルなのか低レベルなのかにより、バックアップ用電源４０の印加状態を検出する。尚、図３に示すように、オペアンプでなくトランジスタを用いて接続回路１９を構成してもよい。
【００４０】
この場合、前記実施形態と同様の作用効果を奏することは勿論、自己のバックアップ用電源４０の印加状態を直接検出するよう構成すればよいので、車載機器制御装置１０にバックアップ用電源４０の印加に関する情報を外部から送信する必要はなく、この車載機器制御装置１０に接続されるハーネス、コネクタ等を簡素化することができる。従って、さらなる製造コストの低減を図ることができる。
【００４１】
図４及び図５は本発明の第２の実施形態を示すもので、図４は車載機器制御装置の概略構成ブロック図、図５はヒューズが保管用回路に受容された状態の車載機器制御装置の概略構成ブロック図である。
【００４２】
図４に示すように、第２の実施形態の車載機器制御装置１１０は、時計装置３０でなくラジオ・オーディオ装置１３０におけるバックアップ用電源４０の印加の有無に基づいてデリバリ状態であるか否かを判別する点、バックアップ用電源回路１３１に配されたヒューズ１３２の挿脱状態に基づいてデリバリ状態であるか否かを判別する点等で第１の実施形態の車載機器制御装置１０と構成を異にしている。他の構成は第１の実施形態とほぼ同様であり、以下、第１の実施形態と異なる点を中心に説明する。
【００４３】
ラジオ・オーディオ装置１３０は、純粋にラジオの機能に関し、車両の走行機能と独立している。また、図４に示すように、バックアップ用電源回路１３１は、ヒューズ１３２を介してラジオ・オーディオ装置１３０とバックアップ用電源４０を接続する。ヒューズ１３２は、車両に備え付けのヒューズボックス１７０に収納される。
【００４４】
本実施形態においては、車載機器制御装置１１０は、バックアップ用電源回路１３１から抜脱されたヒューズ１３２を受容する保管用回路１８０が設けられている。尚、保管用回路１８０も、ヒューズボックス１７０にてヒューズ１３２を受容するよう構成されている。図５に示すように、保管用回路１８０は、バックアップ用電源４０とＩ／Ｏインターフェース１４との間に介在し、ヒューズ１３２を受容することによりバックアップ用電源４０とＩ／Ｏインターフェース１４とを電気的に接続する。
【００４５】
また、制御変更プログラム１６３は、保管用回路１８０にてヒューズ１３２を検出することで、バックアップ用電源回路１３１におけるヒューズ１３２の挿脱状態を判断する。そして、ヒューズ１３２の挿脱状態により、ラジオ・オーディオ装置１３０におけるバックアップ用電源４０の印加の有無を判断して、エンジンの制御内容を切り替える。すなわち、保管用回路１８０にてヒューズ１３２が存在しないときはエンジンの制御内容を通常モードのままとする。そして、保管用回路１８０にヒューズ１３２が存在するときはエンジンの制御内容をデリバリモードに変更する。尚、通常モードとデリバリモードにおけるエンジンの制御内容は第１の実施形態と同様である。
【００４６】
以上のように構成された車載機器制御装置１１０によれば、第１の実施形態と同様の作用効果に加え、ヒューズ１３２の挿脱によりバックアップ用電源４０とラジオ・オーディオ装置１３０とが電気的に接続又は切断されるので、バックアップ用電源４０の印加の有無を的確に判断することができる。これにより、コネクタ等を別途設けることなくバックアップ用電源の印加を把握することができ、さらなる製造コストの低減を図ることができる。また、車両に備え付けのヒューズボックス１７０を用いてバックアップ用電源回路１３１を構成したので、製造コストを効果的に低減することもできる。
【００４７】
また、保管用回路１８０で保管時のヒューズ１３２を検出することにより、ヒューズ１３２がバックアップ用電源回路１３１から抜脱されたことを確実に判断することができる。また、単なるヒューズ切れの場合に、ヒューズ１３２が抜脱されたと誤認識してデリバリモードへ移行してしまうことを防止することができる。
【００４８】
さらに、ラジオ・オーディオ装置１３０が車載機器制御装置１１０と電気的に接続されることもないので、車載機器制御装置１１０にて発生するノイズがラジオ・オーディオ装置１３０に入力されることはなく、ラジオの感度が低下したりオーディオの音質がノイズにより悪化することはない。
【００４９】
図６は本発明の第３の実施形態を示す車載機器制御装置の概略構成ブロック図である。
【００５０】
図６に示すように、第３の実施形態の車載機器制御装置２１０は、エンジンの制御に関する指令信号を受信する通信部２１６を設けた点、通信部２１６により受信した指令信号に基づいてエンジンの制御内容を変更する点等で第２の実施形態の車載機器制御装置１１０と構成を異にしている。他の構成は第２の実施形態とほぼ同様であり、以下、第２の実施形態と異なる点を中心に説明する。
【００５１】
本実施形態においては、通信部２１６は、工場の出荷検査ラインにて接続されるチェッカー２９０から送信される指令信号を受信する。
また、ＲＯＭ１１には、第２の実施形態と同様の通常エンジン制御プログラム６１に加え、第１デリバリエンジン制御プログラム２６２ａ、第２デリバリエンジン制御プログラム２６２ｂ及び点検エンジン制御プログラム２６４が記憶される。
【００５２】
第２デリバリエンジン制御プログラム２６２ｂは第１及び第２の実施形態におけるデリバリエンジン制御プログラム６２と同様の制御内容であり、第１デリバリエンジン制御プログラム２６２ａは第２デリバリエンジン制御プログラムの制御内容のうちエンジンの過給圧に関する低圧制御を除いた制御内容となっている。すなわち、第１デリバリエンジン制御プログラム２６２ａにおいては、過給用アクチュエータ２２は通常制御と同様に駆動され、過給器は通常モードと同様に動作することとなる。
【００５３】
また、点検エンジン制御プログラム２６４は、例えば販売店等における点検に適した点検モードでエンジンを制御するためのプログラムである。本実施形態においては、過給用アクチュエータ２２の動作を点検するようになっており、過給用アクチュエータ２２はエンジンの動作状態に関わらずＯＮ／ＯＦＦを繰り返すようになっている。また、パージ用アクチュエータ２７の動作を点検するようにもなっており、パージ用アクチュエータ２７はエンジンの動作状態に関わらずＯＮ／ＯＦＦを繰り返すようになっている。
【００５４】
制御変更プログラム２６３は、通信部２１６により指令信号を受信し、且つ、デリバリ状態であると判別されると、エンジンの制御内容を第１デリバリモードに変更する。また、制御変更プログラム２６３は、通信部２１６により指令信号を受信し、且つ、デリバリ状態でないと判別されると、エンジンの制御内容を点検モードに変更する。また、制御変更プログラム２６３は、通信部２１６により指令信号を受信せず、且つ、デリバリ状態であると判別されると、エンジンの制御内容を第２デリバリモードに変更する。また、制御変更プログラム２６３は、通信部２１６により指令信号を受信せず、且つ、デリバリ状態でないと判別された場合は、エンジンの制御内容を通常モードのまま保持する。
【００５５】
以上のように構成された車載機器制御装置２１０では、工場における組立工程から工場出荷後に販売店に輸送され、販売店にてヒューズ１３２が保管用回路１８０からバックアップ用電源回路１３１に差し込まれるまで、デリバリ状態であると判別される。この間は原則として第１デリバリモードでエンジンが制御され、工場の出荷検査においてチェッカー２９０が接続されて指令信号を受信した際には第２デリバリモードでエンジンが制御される。
また、ヒューズ１３２がバックアップ用電源回路１３１に差し込まれた後は、原則として通常モードでエンジンが制御され、販売店等でチェッカー２９０が接続されて指令信号を受信した際には点検モードでエンジンが制御される。
【００５６】
このように、本実施形態の車載機器制御装置２１０によれば、第２の実施形態の作用効果に加え、通信部２１６からの指令信号が受信されたか受信されていないかで、デリバリモードの制御内容が異なることとなる。このように、デリバリモードの制御内容に差異を設けることで、工場における出荷検査時の制御内容と、工場出荷後から販売店までの輸送に際しての制御内容を異なるものとし、車両の出荷検査時に際しての制御内容について輸送時のものと差別化を図り、車両の出荷検査の作業内容に応じた制御を行うことができる。
【００５７】
また、工場出荷後から販売店までの車両の長期輸送に際してはデリバリモードとし、販売店における点検工程では点検モードとして、車両の点検に際しての制御内容についてデリバリモードと差別化を図り、車両の点検の作業内容に応じた制御を行うことができる。本実施形態においては、過給用アクチュエータ２２及びパージ用アクチュエータ２７がＯＮ／ＯＦＦを繰り返すことから、これらの点検を行うことができる。
【００５８】
尚、第１〜第３の実施形態においては、エンジンの制御内容を変更するものを示したが、車載機器制御装置により制御内容が変更される選択車載機器は、例えば変速機や差動装置等であってもよい。
【００５９】
また、第１〜第３の実施形態においては、走行機能から独立した機能に関する装置として時計装置３０、ラジオ・オーディオ装置１３０を例示したが、例えばナビゲーション装置やテレビ装置であってもよい。また、走行機能から独立した機能に関する装置でなくとも走行等に支障をきたさない装置であれば、このバックアップ用電源の印加の有無に基づいてデリバリ状態か否かを判別することが可能である。
【００６０】
また、第３の実施形態においては、通信部２１６による指令信号の受信の有無により異なるデリバリモードでエンジンを制御するものを示したが、指令信号の受信の有無をデリバリモードへ移行するか否かの条件としてもよい。すなわち、制御変更プログラム２６３を、通信部２１６により指令信号を受信し、且つ、デリバリ状態であると判別されると、エンジンの制御内容をデリバリモードに変更するようにしてもよい。この場合、通信部２１６による指令信号の受信がない限り、制御内容がデリバリモードへ移行することはないので、車両の通常走行時における誤動作によるデリバリモードへの移行を確実に防止することができる。
【００６１】
また、第３の実施形態においては、通信部２１６にチェッカー２９０を有線接続して指令信号を送信するものを示したが、外部の無線機から無線により指令信号を送信するようにしてもよい。
【００６２】
また、第２及び第３の実施形態においては、ヒューズ１３２が受容される保管用回路１８０を設けたものを示したが、第１の実施形態のようにバックアップ用電源回路３１の通電状態を直接的に検出することにより、ヒューズ１３２の挿脱状態を判別するようにしてもよい。
【００６３】
また、第２及び第３の実施形態においても、ラジオ・オーディオ装置１３０におけるバックアップ用電源４０の印加の有無でなく、車載機器制御装置１１０，２１０自体におけるバックアップ用電源４０の印加の有無に基づいてデリバリ状態か否かを判別するようにしてもよい。
【００６４】
さらに、デリバリモード、点検モード等の制御内容は、輸送状態や点検内容等に応じて任意に変更可能であるし、その他、具体的な細部構造等についても適宜に変更可能であることは勿論である。
【図面の簡単な説明】
【００６５】
【図１】本発明の第１の実施形態を示す車載機器制御装置の概略構成ブロック図である。
【図２】変形例を示す車載機器制御装置の概略構成ブロック図である。
【図３】変形例を示す車載機器制御装置の概略構成ブロック図である。
【図４】本発明の第２の実施形態を示す車載機器制御装置の概略構成ブロック図である。
【図５】ヒューズが保管用回路に受容された状態の車載機器制御装置の概略構成ブロック図である。
【図６】本発明の第３の実施形態を示す車載機器制御装置の概略構成ブロック図である。
【符号の説明】
【００６６】
１０          車載機器制御装置
１１          ＣＰＵ
１２          ＲＯＭ
１３          ＲＡＭ
３０          時計装置
４０          バックアップ用電源
６１          通常エンジン制御プログラム
６２          デリバリエンジン制御プログラム
６３          制御変更プログラム
１１０        車載機器制御装置
１３０        ラジオ・オーディオ装置
１３１        バックアップ用電源回路
１３２        ヒューズ
１７０        ヒューズボックス
１８０        保管用回路
２１０        車載機器制御装置
２１６        通信部
２６２ａ      第１デリバリエンジン制御プログラム
２６２ｂ      第２デリバリエンジン制御プログラム
２６３        制御変更プログラム
２６４        点検エンジン制御プログラム
２９０        チェッカー
【図１】
2006096095.tif 000003
【図２】
2006096095.tif 000004
【図３】
2006096095.tif 000005
【図４】
2006096095.tif 000006
【図５】
2006096095.tif 000007
【図６】
2006096095.tif 000008